(57)【特許請求の範囲】
【請求項１】
モータと、前記モータの出力軸に連結される回転羽根と、下端部に吸込口が設けられるとともに側部に吐出口が設けられており、前記回転羽根を回転自在に収容するハウジングとを備え、前記回転羽根は、前記モータの出力軸に連結される軸部と、前記軸部から放射方向に延びる複数の板状の大径羽根と、前記大径羽根の下縁部に連結されるとともに前記吸込口に収容される複数の板状の小径羽根と、前記大径羽根の外周部を連結する円筒状壁部材とを有している排水ポンプであって、前記大径羽根は、前記軸部から外方へ延びて先端が円筒状壁部材とは離間する内側羽根と、前記円筒状壁部材から内方へ延びて先端が軸部とは離間する外側羽根とに分割されており、前記内側羽根と前記外側羽根は前記軸部の周りに交互に配置されていることを特徴とする排水ポンプ。
【請求項２】
前記軸部の中心から前記内側羽根の径方向外側端部までの距離Ｒ１と、前記軸部の中心から前記外側羽根の径方向内側端部までの距離Ｒ２との関係がＲ１≦Ｒ２であることを特徴とする請求項１に記載の排水ポンプ。
【請求項３】
前記内側羽根と前記外側羽根が気液境界の近傍で分割されていることを特徴とする請求項１又は２に記載の排水ポンプ。
【請求項４】
前記回転羽根は、前記軸部の周方向に隣り合う前記大径羽根間において放射方向に延びる板状の補助羽根を備えており、前記補助羽根は、前記軸部と前記円筒状壁部材の間において径方向に延びる内側補助羽根と、前記円筒状壁部材から内方へ延びる外側補助羽根とに分割されており、前記内側羽根及び前記内側補助羽根と、前記外側羽根及び前記外側補助羽根とが前記軸部の周りに交互に配置されていることを特徴とする請求項１〜３のいずれか一項に記載の排水ポンプ。
【請求項５】
前記隣り合う大径羽根間に複数の前記補助羽根が配置されていることを特徴とする請求項４に記載の排水ポンプ。
【請求項６】
前記補助羽根は、前記隣り合う大径羽根間を前記軸部の回りに等間隔に分割する位置に配置されていることを特徴とする請求項４又は５に記載の排水ポンプ。
【請求項７】
前記大径羽根が、前記内側羽根と前記外側羽根と中間羽根とに分割されるとともにこれらが前記軸部の周方向に順次ずらして配置され、前記補助羽根が、前記内側補助羽根と前記外側補助羽根と中間補助羽根とに分割されるとともにこれらが前記軸部の周方向に順次ずらして配置され、前記中間羽根と前記中間補助羽根、前記外側羽根と前記外側補助羽根は前記軸部の回りに交互に配置され、かつ前記中間羽根は前記内側補助羽根及び前記外側補助羽根に対して前記軸部の周りにずらして配置され、前記中間補助羽根は前記内側羽根及び前記外側羽根に対して前記軸部の周りにずらして配置されていることを特徴とする請求項４〜６のいずれか一項に記載の排水ポンプ。
【発明の詳細な説明】
【技術分野】
【０００１】
本発明は、特に空調機に装備される排水ポンプに関する。
【背景技術】
【０００２】
空調機の室内ユニットにおいては、冷房運転時に空気中の水分が凝縮して熱交換器に付着し、水滴が熱交換器の下方に設けられるドレンパン内に滴下する。このドレンパン内に溜ったドレン水を排水するために排水ポンプが室内ユニットに装備される。この排水ポンプの一例として、下端部に吸込口が設けられると共に側部に吐出口が設けられたハウジング内に回転羽根を回転自在に設け、ハウジングの上部開口にカバーを介して固定したモータにより回転羽根を回転させるものがある。モータを駆動して回転羽根を回転させると、ドレンパン内に貯溜したドレン水は吸込口の下端から吸い込まれ、ハウジング内面に沿って揚水され、ハウジングの吐出口から外部に吐出される。
【０００３】
この種の排水ポンプの先行技術例として、特許文献１に開示されているものがある。図１５は、特許文献１に開示された排水ポンプの全体構成を示す一部破断正面図、図１６はその回転羽根の上面図及び側面図である。全体を符号１で示す排水ポンプは、モータ１０と、モータ１０に対して下方にブラケット２０を介して取り付けられたポンプ本体３０とを有する。ブラケット２０は、ハウジング４０の上部開口を覆うカバー３２と一体に形成されており、カバー３２はシール部材３４を介してハウジング４０に連結されている。ハウジング４０は、プラスチック製であって、下方に向かって開口するパイプ状の吸込口４２、内部に形成されているポンプ室４４、及び側方に向かって開口する吐出口４６を有している。吸込口４２の吸込端部４３は、開口端に向かって内径寸法が絞られるテーパ面に形成されている。
【０００４】
ハウジング４０内には、モータ１０の出力によって回転される回転羽根５０がポンプ室４４内に収容される状態で装備されている。回転羽根５０は、軸部５２と、軸部５２の上部において外周部から放射方向に延びる複数の平板状の大径羽根６０と、各大径羽根６０の下縁部に連結されるとともに吸込口４２に収容される複数の平板状の小径羽根５４とを有している。軸部５２は、カバー３２の中央に形成された貫通孔３６を貫通してモータ１０側へ突出しており、軸部５２の上端中心に設けた穴５３にモータ１０の駆動軸１２が挿入されて固定されている。軸部５２の上面には、水切円板１４が取り付けられており、この水切円板１４は、カバー３２の貫通孔３６から噴出するドレン水がモータ１０側へ飛散するのを防止している。
【０００５】
大径羽根６０の下縁部はテーパ状に形成されており、この下縁部は開口部６３を有する円盤状の環状部材６２で連結されている。小径羽根５４は、大径羽根６０と樹脂により一体的に構成されており、大径羽根６０の下方に配置されている。隣り合う大径羽根６０，６０の間には補助羽根６８が設けられており、この補助羽根６８と大径羽根６０とによりポンプの揚程を確保することができる。
【０００６】
大径羽根６０と補助羽根６８の外周端は円筒状壁部材６４によって連結されている。円筒状壁部材６４の上縁部の位置は、大径羽根６０と補助羽根６８の上縁部の位置より低くされている。大径羽根６０の回転により液体内から発生した気泡の流れは、円筒状壁部材６４によって吐出口４６へスムーズに流れ、気泡のカバー３２の底面３５への衝突が緩和され、騒音が減少する。また、排水ポンプ１が停止したときに、吐出口４６からハウジング４０のポンプ室４４へ戻る水が円筒状壁部材６４に突き当たり、円筒状壁部材６４の緩衝により徐々に拡散され、戻り水に起因する騒音も低減される。なお、円筒状壁部材６４の上縁部の位置は、ポンプ能力（使用する揚程）に応じて、大径羽根６０及び補助羽根６８の上縁部の位置よりも高くしたり、あるいは同じ位置にしたりすることで、騒音を減少させることができる。
【０００７】
円筒状壁部材６４の下端部は、大径羽根６０と補助羽根６８の下縁部を連結する環状部材６２に環状連結される。この環状部材６２により、吸込口４２から上昇してくるドレン水の液面がほぼ上下に分断され、大径羽根６０に接する水の量が減少し、気泡の発生が減少することとなる。この環状部材６２の内周部側は軸部５２との間に開口部６３を有する。大径羽根６０と補助羽根６８の下縁部は小径羽根６４に向かって傾斜する形状に形成され、環状部材６２もこの傾斜に合わせて皿状に形成されている。
【先行技術文献】
【特許文献】
【０００８】
【特許文献１】特開平０９−６８１８５号公報
【発明の概要】
【発明が解決しようとする課題】
【０００９】
上記のような排水ポンプ１においては、空調機の電源を入れて排水ポンプ１が運転を開始すると、ドレン水が小径羽根５４に掛かり、回転力が加わって吸込みが始まり、水が徐々にポンプ室４４内に導入される。ポンプ室４４内では、水と空気が混在した状態となり、回転羽根５０にはそれらの気液混合流体が衝突する。この衝突が水掻き騒音や振動に繋がる。
【００１０】
回転羽根５０では、気液境界に多量に発生する気泡が直接大径羽根６０の前面に衝突して破裂し、大径羽根６０の下流側では気泡が発生するため、キャビテーション音と振動が大きくなる。円筒状壁部材６４の上縁部の位置が大径羽根６０の上縁部の位置より低く形成されていることにより騒音をある程度低減することが可能となるが、騒音をより効果的に低減させることについては、格別の配慮がなされていなかった。
【００１１】
そこで、本発明の目的は、揚程、吐出し量などのポンプ性能を維持しつつ、回転羽根の水掻きに伴う騒音と振動を低減可能な排水ポンプを提供することにある。
【課題を解決するための手段】
【００１２】
上記課題を解決するため、本発明による排水ポンプは、モータと、前記モータの出力軸に連結される回転羽根と、下端部に吸込口が設けられるとともに側部に吐出口が設けられており、前記回転羽根を回転自在に収容するハウジングとを備え、前記回転羽根は、前記モータの出力軸に連結される軸部と、前記軸部から放射方向に延びる複数の板状の大径羽根と、前記大径羽根の下縁部に連結されるとともに前記吸込口に収容される複数の板状の小径羽根と、前記大径羽根の外周部を連結する円筒状壁部材とを有している排水ポンプであって、前記大径羽根は、前記軸部から外方へ延びる内側羽根と、前記円筒状壁部材から内方へ延びる外側羽根とに分割されており、前記内側羽根と前記外側羽根は前記軸部の周りに交互に配置されていることを特徴としている。
【００１３】
本発明の排水ポンプによれば、大径羽根が内側羽根と外側羽根に分割されているとともに、内側羽根と外側羽根が軸部の周りに交互に配置されていることで、内側羽根と外側羽根の間、内側羽根と円筒状壁部材の間、及び外側羽根と軸部との間から気泡を回転方向下流側へ逃がすことができるため、大径羽根に衝突する気泡の量が低減し、気泡の潰れによる騒音を低減することができる。また、大径羽根に作用する回転方向と逆向きの力が低減するので、負荷が低減して振動が低減する。なお、軸部の中心から内側羽根の径方向外側端部までの距離Ｒ１と軸部の中心から外側羽根の径方向内側端部までの距離Ｒ２とを実質的に同じにすることにより、水を掻き揚げる大径羽根の径方向長さが従来品の大径羽根の径方向長さと実質的に同じになるため、従来品と同等のポンプ性能を確保することができる。また、吸込口の開口面積と流路面積を従来品と実質的に同じにすることにより、ポンプの吐出し量についても、従来品と同等の量を確保することができる。
【発明の効果】
【００１４】
本発明の排水ポンプによれば、内側羽根と外側羽根の間、内側羽根と円筒状壁部材の間、及び外側羽根と軸部との間から気泡を回転方向下流側へ逃がすことができるため、円筒状壁部材の形状やその上縁部の位置にかかわらず、大径羽根に衝突する気泡の量が低減し、気泡の潰れによる騒音を低減することができる。また、大径羽根に作用する回転方向と逆向きの力が低減するので、負荷が低減して振動が低減する。よって、空調機の静穏化に寄与することができる。
【図面の簡単な説明】
【００１５】
【図１】本発明による排水ポンプの一例を示す一部破断正面図である。
【図２】本発明による排水ポンプに用いる回転羽根の一実施例を示す図である。
【図３】図２の回転羽根の変形例を示す図である。
【図４】図２に示す回転羽根の低揚程運転時の気液境界の様子を従来の回転羽根の場合と比較して示す説明図である。
【図５】図２に示す回転羽根の高揚程運転時の気液境界の様子を従来の回転羽根の場合と比較して示す説明図である。
【図６】本発明による排水ポンプに用いる回転羽根の別の実施例を示す図である。
【図７】本発明による排水ポンプに用いる回転羽根の更に別の実施例を示す図である。
【図８】本発明による排水ポンプに用いる回転羽根の更に別の実施例を示す図である。
【図９】本発明による排水ポンプに用いる回転羽根の実施例の部分断面図である。
【図１０】本発明による排水ポンプに用いる回転羽根の小径羽根の変形例の下面図である。
【図１１】本発明による排水ポンプの揚程とそれに応じたラジアル方向の振動の大きさとの関係を従来の排水ポンプの場合と並べて示したグラフである。
【図１２】本発明による排水ポンプの揚程とそれに応じたアキシャル方向の振動の大きさとの関係を従来の排水ポンプの場合と並べて示したグラフである。
【図１３】本発明による排水ポンプの揚程能力を従来の排水ポンプの場合と並べて示した表である。
【図１４】ＡＣモータ及びＤＣモータの回転数とトルクの関係を示すグラフである。
【図１５】従来の排水ポンプの一例を示す一部破断正面図である。
【図１６】図１５に示す排水ポンプの回転羽根の上面図及び側面図である。
【発明を実施するための形態】
【００１６】
以下、図面を参照して本発明による排水ポンプの実施例を説明する。図１には、本発明による排水ポンプの一例の一部破断正面図、図２には、図１に示す排水ポンプに用いる回転羽根の一実施例が示されている。図２（ａ）は回転羽根の上面図、図２（ｂ）は図２（ａ）に示す回転羽根のＡ−Ａ断面図、図２（ｃ）は図２（ａ）に示す回転羽根の下面図である。この回転羽根が組み込まれる排水ポンプの構造は、図１５、図１６に示すものと同等のものには同じ符号を用いることで再度の説明を省略する。また、回転羽根についても、本発明の特徴となる部分以外の構造については、図１５、図１６で示したものと同等のものには同じ符号を用いることで再度の説明を省略する。
【００１７】
図２に示す回転羽根１００においては、大径羽根１０１は、軸部５２から径方向外側へ延びる内側羽根１０２と、円筒状壁部材６４から径方向内側へ延びる外側羽根１０３とに分割されており、内側羽根１０２と外側羽根１０３は軸部５２の周りに交互に配置されている。
【００１８】
図４及び図５には、本発明による排水ポンプの低揚程運転時（図４）と高揚程運転時（図５）について、気液境界の様子が従来の排水ポンプの場合と比較して模式的に示されている。低揚程運転時（図４）には、大径羽根１０１が内側羽根１０２と外側羽根１０３とに分割されている位置の近傍（一点鎖線の円で示す位置）が、実質的に気液境界となる。気液境界の内側が空気層の領域であり、気液境界の外側が水層の領域である。即ち、気泡の発生量が多くなる位置で大径羽根１０１が内側羽根１０２と外側羽根１０３とに分割されている。大径羽根１０１の分割位置は、騒音を低減しようとする揚程に応じて設定される。すなわち、騒音を低減しようとする揚程の時に回転羽根１００内に生じる気液境界の近傍において大径羽根１０１を内側羽根１０２と外側羽根１０３に分割するのが効果的である。
【００１９】
回転羽根１００が図示された矢印の方向に回転すると、気泡と水とは回転羽根１００内において矢印で示すように流れ、気泡が内側羽根１０２と外側羽根１０３とに衝突することなくこれらの間を通過し、且つ下流側の気泡発生量を抑制することが可能になる。このように、内側羽根１０２と外側羽根１０３の間、内側羽根１０２と円筒状壁部分６４との間、及び外側羽根１０３と軸部５２との間から気泡を逃がす構造とすることで、気泡が羽根に衝突する量が減少するので、気泡の潰れによるキャビテーションが減少し、これにより、騒音と振動を低減することができる。また、気泡が羽根に衝突することで、羽根に回転方向と逆向きの力が作用するが、水の逃げ道を設けておくことで、各羽根に作用する逆向きの力が低減するので、負荷が低減する。
【００２０】
揚程が上昇するに連れて、高揚程運転時（図５）に示すように、気液境界の径は縮小して、内側羽根１０２と外側羽根１０３の水を掻く量が多くなり、気泡は内側羽根１０２のみに当たるようになる。水を掻く量が多くなると負荷が大きくなるので、回転羽根５０の回転数は起動時と比べて低下する。気液境界の径が縮小し、且つ回転羽根５０の回転数が低下することにより、回転羽根１００への気泡の衝突量が少なくなるため、キャビテーション音は低下する。また、水は、内側羽根１０２と円筒状壁部材６４の間、及び内側羽根１０２と外側羽根１０３の間にある隙間から下流へ逃がすようになるので、羽根一枚当たりの負荷を減らすことができ、従来と比べて振動を低減することができる。
【００２１】
図１１のグラフには本発明による排水ポンプの揚程とそれに応じたラジアル方向の振動の大きさとの関係が、また図１２のグラフには、揚程とアキシャル方向の振動の大きさとの関係が、従来品の場合と並べて示されている。図１１及び図１２に示すように、本発明品では、特に、ラジアル方向の振動が低揚程運転において大きく改善されている。また、総じて、どの揚程でも、本発明品の方が従来品と比較して、振動が低減している。
【００２２】
内側羽根１０２と外側羽根１０３の各径方向長さは、実使用揚程に応じて定めることができる。即ち、羽根半径をｒとしたとき、揚程Ｈ＝ｒ＾２×ω＾２÷（２×ｇ）の関係がある。内側羽根１０２と外側羽根１０３の各径方向長さの和を従来の大径羽根の径方向長さと等しくすることで、水を掻き揚げる羽根半径ｒが変わらないようにすることができ、それによって、従来品と同等のポンプ性能を確保することができる。
【００２３】
すなわち、図２に示す例では、軸部５２の中心から外側羽根１０３の径方向内側端部１０３ａまでの距離Ｒ２は、軸部５２の中心から内側羽根１０２の径方向外側端部１０２ａまでの距離Ｒ１と実質的に同じにしてある。このようなＲ１とＲ２との関係を保つことによって、従来品と同等のポンプ性能を確保することができるのに加えて、外側羽根１０３の径方向内側端部１０３ａと内側羽根１０２の径方向外側端部１０２ａとの間を気泡と水の混合物の流れＦが流れ易くなる。すなわち、気泡については逃げ道が確保されることになり、気泡の内側羽根１０２や外側羽根１０３との衝突が少なくなり、気泡の潰れに起因するキャビテーションによる騒音・振動が低減する。なお、Ｒ２はＲ１より大きくても構わない。逆に、Ｒ２をＲ１より十分に小さくすると、気液混合流と回転羽根１００との衝突の状態が従来と変わらなくなるので、騒音・振動低減の作用・効果が薄れる。
【００２４】
図３は図２の回転羽根の変形例を示す図であり、図３（ａ）は上面図、図３（ｂ）は図３（ａ）のＡ’―Ａ’断面図、図３（ｃ）は図３（ａ）の下面図である。図２では円筒状壁部材６４が段付き形状となっているが、図３に示すように、円筒状壁部材６４をストレートの薄肉形状とすることで、回転羽根１００’内の流路が広がり、気液混合物がより流れ易くなるため、さらに騒音・振動低減効果が高くなる。
【００２５】
また、吐出し量を確保するため、吸込口４２の開口面積と流路面積については、従来品と変更していない。ポンプ性能の確保については、図１３に示すように、吐出し量と締切揚程について、従来品と同等の能力を確保することができることが確認されている。
【００２６】
図２に示す回転羽根１００は、軸部５２の周方向に隣り合う大径羽根１０１，１０１間に放射方向に延びる板状の補助羽根１０４を備えている。なお、図面を見易くするために、符号１０４は一つの補助羽根についてのみ付してある。補助羽根１０４は、軸部５２と円筒状壁部材６４から離間する位置において径方向に延びる内側補助羽根１０５と、円筒状壁部材６４から径方向内側へ延びる外側補助羽根１０６とに分割されている。大径羽根１０１の内側羽根１０２と補助羽根１０４の内側補助羽根１０５、及び大径羽根１０１の外側羽根１０３と補助羽根１０４の外側補助羽根１０６は、軸部５２の周りに交互に配置されている。このように、補助羽根１０４を両側の大径羽根１０１，１０１間の中間に設けることにより、大きな揚程を確保することができる。
【００２７】
図６には、本発明による排水ポンプに用いる回転羽根の別の実施例が示されている。この回転羽根１１０においては、円筒状壁部材１６４の上縁部の位置を大径羽根１０１と補助羽根１０４の上縁部の位置よりも低くしてある。円筒状壁部材１６４の上縁部の内側には、円弧状の面取り部（図示せず）を形成することができる。円筒状壁部材１６４をこのように形成することで、大径羽根１０１の周囲の液体内から発生した気泡の流れが、吐出口４６へスムーズに流れ、気泡のカバー３２の底面３５への衝突が緩和されて騒音が減少する。
【００２８】
また、排水ポンプが停止したときに、吐出口４６からケーシング内のポンプ室４４へ戻る戻り水が円筒状壁部材１６４に突き当たり、円筒状壁部材１６４の緩衝により徐々に拡散され、戻り水に起因する騒音も低減する。しかも、円弧状の面取り部は、例えば円筒状壁部材１６４の板厚寸法にほぼ等しい曲率半径を有することによって、大径羽根１０１や補助羽根１０４の回転によって半径方向に流れるエネルギーを付与されたドレン水は、円筒状壁部材１６４の上縁部をスムーズに乗り越えて、つまり気泡の流れがスムーズになって吐出口４６側へ向かうこととなり、低騒音化が実現できる。
【００２９】
円筒状壁部材１６４の下端部は、大径羽根１０１と補助羽根１０４の下縁部を連結する環状部材６２に環状連結される。なお、図では、円筒状壁部材１６４と環状部材６２とが一体的に構成されている場合を示しているが、それらを別体で構成してよいのは勿論である。環状部材６２により、吸込口４２から上昇してくるドレン水の液面がほぼ上下に分断され、大径羽根１０１に接する水の量が減少し、気泡の発生が減少する。環状部材６２の内周部側は回転羽根１１０の中心部との間に開口部６３を有する。大径羽根１０１と補助羽根１０５の下縁部は小径羽根５４に向かって傾斜する形状に形成され、環状部材６２もこの傾斜に合わせて皿状に形成される。
【００３０】
図９には、本発明による排水ポンプの回転羽根の部分断面図を示している。図９（ａ）は図２の部分断面図であり、それ以外は図２とは異なる形状の実施例の部分断面図である。これらの実施例に示す通り、円筒状壁部材６４の形状やその上縁部の位置にかかわらず、大径羽根１０１が内側羽根１０２と外側羽根１０３に分割されていることにより、気泡の潰れによるキャビテーションが減少し、騒音と振動を低減させることができる。
【００３１】
図１０は、本発明による排水ポンプに用いる回転羽根の小径羽根の変形例の下面図を示している。図２に示す例では、揚程、吐出し量等のポンプ性能を従来品と同等に維持するため、吸込口の開口面積と流路面積を従来品と同等にしているが、必要なポンプ性能に応じて小径羽根を例えば図１０に示すような形状にして吸込口の開口面積と流路面積を調整することも可能である。
【００３２】
図７には、本発明による排水ポンプに用いる回転羽根の更に別の実施例が示されている。この回転羽根１２０においては、隣り合う大径羽根１０１，１０１間に複数の補助羽根１０４，１０４が配置されている。この例では、補助羽根１０４は二つであるが、これに限らず３つ又はそれ以上であってもよい。複数の補助羽根１０４，１０４は、隣り合う大径羽根１０１，１０１間を軸部５２の周りに等間隔に分割する位置に配置されている。即ち、この実施例では、大径羽根１０１は軸部５２の周りに９０度毎に配置されており、隣り合う大径羽根１０１，１０１間に補助羽根１０４は二つあるので、内側羽根１０２と内側補助羽根１０５は軸部５２の周りに３０度間隔をおいて配置され、外側羽根１０３と外側補助羽根１０６も軸部５２の周りに３０度間隔をおいて配置されている。外側と内側の羽根を併せると、各羽根は１５度ずつずれて配置されていることになる。
【００３３】
図８には、本発明による排水ポンプに用いる回転羽根の更に別の実施例が示されている。この回転羽根１３０においては、大径羽根１０１及び補助羽根１０４が、それぞれ軸部５２の径方向に三分割されている。即ち、大径羽根１０１は、内側羽根１０２と外側羽根１０３と中間羽根１０７とに分割され、補助羽根１０４は、内側補助羽根１０５と外側補助羽根１０６と中間補助羽根１０８に分割されている。内側羽根１０２と中間羽根１０７、及び内側補助羽根１０５と中間補助羽根１０８は、軸部５２の周りに順次ずらして配置されている。中間羽根１０７及び中間補助羽根１０８、外側羽根１０３及び外側補助羽根１０６は、軸部５２の回りに交互に配置され、かつ中間羽根１０７は、内側補助羽根１０５及び外側補助羽根１０６と軸部５２の周りにずらして配置され、中間補助羽根１０８は、内側羽根１０２及び外側羽根１０３と軸部５２の周りにずらして配置されており、先の実施例の場合と同様に、各羽根の端部間が繋がっておらず、気液境界部付近での気体の逃げ道を提供している。
【００３４】
なお、本発明の排水ポンプのモータとしては、ＡＣモータ又はＤＣモータのいずれでも採用することができる。低揚程の場合には負荷が低く、且つ高回転なほど気液境界面が広がって水掻き時の気泡の衝突によるキャビテーション音の増大、振動の悪化が起こり易いが、モータの特性上の違いから、図１４に示す如く、ＤＣモータの方が低負荷時の回転数が高くなる傾向があるため、ＤＣポンプに本発明を適用した方がより大きな効果を得ることができる。
【符号の説明】
【００３５】
１０  モータ                        １２  出力軸
１４  水切円板                      ２０  ブラケット
３０  ポンプ本体                    ３２  カバー
３４  シール部材                    ３５  底面
４０  ハウジング                    ４２  吸込口
４３  吸込端部                      ４４  ポンプ室
４６  吐出口                        ５２  軸部
５４  小径羽根                      ６２  環状部材
６３  開口部                        ６４，１６４  円筒状壁部材
１００，１１０，１２０，１３０  回転羽根
１０１  大径羽根
１０２  内側羽根                      １０２ａ  径方向外側端部
１０３  外側羽根                      １０３ａ  径方向内側端部
１０４  補助羽根                      １０５  内側補助羽根
１０６  外側補助羽根                  １０７  中間羽根
１０８  中間補助羽根
【図１】
0005422277.tif 000002
【図２】
0005422277.tif 000003
【図３】
0005422277.tif 000004
【図９】
0005422277.tif 000005
【図１０】
0005422277.tif 000006
【図１４】
0005422277.tif 000007
【図１５】
0005422277.tif 000008
【図１６】
0005422277.tif 000009
【図４】
0005422277.tif 000010
【図５】
0005422277.tif 000011
【図６】
0005422277.tif 000012
【図７】
0005422277.tif 000013
【図８】
0005422277.tif 000014
【図１１】
0005422277.tif 000015
【図１２】
0005422277.tif 000016
【図１３】
0005422277.tif 000017